(57)【要約】【課題】反射光による周辺環境への影響を低減することができる反射壁を提供することを課題とする。【解決手段】反射壁１であって、反射面２２ａを有する反射部２０が壁体１０の外壁面１０ａに形成されており、反射面２２ａは、南中高度に位置している太陽に正対するように傾斜している。また、反射面２２ａの法線の水平面に対する傾斜角度を夏至の南中高度に合わせることが好ましい。さらに、反射部２０に他の反射面２２ｂ，２２ｃを形成し、他の反射面２２ｂ，２２ｃの法線の傾斜角度を反射面２２ａの法線の傾斜角度よりも小さく形成することが好ましい。【選択図】図２
2011246878.tif 000002
【特許請求の範囲】
【請求項１】
反射面を有する反射部が壁体の外壁面に形成されており、
前記反射面は、南中高度に位置している太陽に正対するように傾斜していることを特徴とする反射壁。
【請求項２】
前記反射面の法線の水平面に対する傾斜角度は、夏至の南中高度に合わせて設定されていることを特徴とする請求項１に記載の反射壁。
【請求項３】
前記反射部には、他の反射面が形成されており、
前記他の反射面の法線の傾斜角度は、前記反射面の法線の傾斜角度よりも小さいことを特徴とする請求項１または請求項２に記載の反射壁。
【請求項４】
前記反射部には、他の反射面が形成されており、
前記他の反射面の法線の水平面に対する傾斜角度は、冬至の南中高度に合わせて設定されているとともに、前記反射面よりも低い反射率に仕上げられていることを特徴とする請求項２に記載の反射壁。
【請求項５】
前記反射部は、前記壁体の外壁面に形成された凹部によって形成されており、
前記凹部の内面に前記反射面が形成されていることを特徴とする請求項１から請求項４のいずれか一項に記載の反射壁。
【請求項６】
前記反射部は、前記壁体の外壁面に形成された突出部によって形成されており、
前記突出部の外面に前記反射面が形成されていることを特徴とする請求項１から請求項５のいずれか一項に記載の反射壁。
【請求項７】
前記壁体の外壁面には、複数の前記反射部が形成されていることを特徴とする請求項１から請求項６のいずれか一項に記載の反射壁。
【発明の詳細な説明】
【技術分野】
【０００１】
本発明は、太陽光を反射させる反射壁に関する。
【背景技術】
【０００２】
太陽光を反射させる反射壁としては、傾斜面を有する反射タイルを壁体の外壁面に貼り付けることで、太陽光を反射させているものがある（例えば、特許文献１参照）。
このような反射壁では、太陽光による壁体の温度上昇を抑制することができるため、ヒートアイランド現象を抑制するとともに、建物内の冷却効率を向上させ、エネルギー効率を向上させることができる。
【先行技術文献】
【特許文献】
【０００３】
【特許文献１】特開２００７−１９２０１６号公報
【発明の概要】
【発明が解決しようとする課題】
【０００４】
前記した従来の反射壁では、外壁面に対するタイルの傾斜角度が小さいため、太陽光が入射方向以外に反射される成分が多くなり、他の建物や地面等に向けて反射される光量が多くなるという問題がある。特に、太陽が南中高度に位置しているときには、太陽光のエネルギーが大きくなるため、他の建物や地面等に向けて反射された反射光による周辺環境への影響が大きくなる。
【０００５】
そこで、本発明では、前記した問題を解決し、反射光による周辺環境への影響を低減することができる反射壁を提供することを課題とする。
【課題を解決するための手段】
【０００６】
前記課題を解決するため、本発明は、反射壁であって、反射面を有する反射部が壁体の外壁面に形成されており、前記反射面は、南中高度に位置している太陽に正対するように傾斜していることを特徴としている。
【０００７】
この構成では、太陽光のエネルギーが大きくなり、反射効果を必要とする時期に、太陽光を天空方向に反射させることができ、意図しない方向への強い反射を防ぐことができるため、反射光による周辺環境への影響を低減することができる。
なお、前記した構成では、反射面の法線の水平面に対する傾斜角度を、南中高度に合わせることで、反射面を南中高度に位置している太陽に正対させることができる。このとき、反射面の法線の傾斜角度は、南中高度に一致している必要はなく、南中高度に対してプラスマイナス１０度の範囲内に収まっていればよい。
また、本発明では、複数の反射面を介して太陽光を反射させる構成と比べて構造が簡単であるため、製造コストを安くすることができる。
【０００８】
前記した反射壁において、前記反射面の法線の水平面に対する傾斜角度を夏至の南中高度に合わせて設定した場合には、一年中で最も太陽光のエネルギーが大きくなり、反射効果を最も必要とする時期に、太陽光を天空方向に反射させることができるため、反射光による周辺環境への影響を効果的に低減することができる。この構成においても、反射面の法線の傾斜角度は、夏至の南中高度に一致している必要はなく、夏至の南中高度に対してプラスマイナス１０度の範囲内に収まっていればよい。
【０００９】
前記した反射壁において、前記反射部に他の反射面を形成し、前記他の反射面の法線の傾斜角度を、前記反射面の法線の傾斜角度よりも小さく形成した場合には、南中時刻の前後の時刻における太陽光を天空方向に反射させることができる。
【００１０】
前記した反射壁において、前記反射部に他の反射面を形成し、前記他の反射面の法線の水平面に対する傾斜角度を、冬至の南中高度に合わせて設定するとともに、前記他の反射面を前記反射面よりも低い反射率に仕上げてもよい。この構成では、他の反射面は冬至の南中高度に位置している太陽に正対し、他の反射面では冬季に太陽光による熱の吸収率が高くなるため、建物内の暖房効率を高めることができる。
なお、他の反射面の法線の傾斜角度は、冬至の南中高度に一致している必要はなく、冬至の南中高度に対してプラスマイナス１０度の範囲内に収まっていればよい。
【００１１】
前記した反射壁において、前記反射部を前記壁体の外壁面に形成された凹部によって形成し、前記凹部の内面に前記反射面を形成した場合には、壁体に対して反射面を簡単に形成することができるとともに、壁体の厚みを小さくすることができる。
【００１２】
前記した反射壁において、前記反射部を前記壁体の外壁面に形成された突出部によって形成し、前記突出部の外面に前記反射面を形成した場合には、壁体に対して反射面を簡単に形成することができる。
【００１３】
前記した反射壁において、前記壁体の外壁面に複数の前記反射部を形成することで、外壁面の広範囲で太陽光を天空方向に反射させることが好ましい。
【発明の効果】
【００１４】
本発明の反射壁では、反射効果を必要とする時期に、太陽光を天空方向に反射させることができ、意図しない方向への強い反射を防ぐことができるため、反射光による周辺環境への影響を低減することができる。また、構造が簡単であるため、製造コストを安くすることができる。
【図面の簡単な説明】
【００１５】
【図１】本実施形態の反射壁を示した斜視図である。
【図２】本実施形態の反射部を示した図で（ａ）は正面図、（ｂ）は側断面図である。
【図３】（ａ）は本実施形態の反射面と南中高度の関係を示した説明図、（ｂ）は本実施形態の反射面の方角を示した説明図である。
【図４】他の実施形態の反射部を示した図で、突出部によって反射部が形成されている構成の斜視図である。
【図５】他の実施形態の反射部を示した図で、法線の傾斜角度を冬至の南中高度に合わせた第四の反射面を形成した構成の側断面図である。
【発明を実施するための形態】
【００１６】
本発明の実施形態について、適宜図面を参照しながら詳細に説明する。
本実施形態の反射壁１は、図１に示すように、建物などの構造物の側壁に用いられるコンクリート製の壁体１０からなる。
壁体１０には、外部に露出した鉛直面である外壁面１０ａが形成されている。外壁面１０ａには複数の反射部２０が形成されている。本実施形態では、外壁面１０ａは南向きに配置されている。
【００１７】
反射部２０は、外壁面１０ａに形成された凹部２１であり、外壁面１０ａよりも壁体１０の内側に背面２１ａが形成されている（図２（ｂ）参照）。本実施形態では、左右方向に並べられた二つの反射部２０，２０の間の上方または下方に、他の列の反射部２０が配置されるように、上下の列では反射部２０の左右方向の位置をずらして配列されている。
【００１８】
凹部２１は、図２（ａ）に示すように、正面視で略半円形状に形成されている。凹部２１の上部には円弧状の曲面２１ｂが形成され、凹部２１の底部２１ｃ（下部）には、三つの反射面２２ａ，２２ｂ，２２ｃが形成されている。
【００１９】
反射部２０を形成する凹部２１の形状は限定されるものではないが、図２（ｂ）に示すように、外部から凹部２１に入射された太陽光が、三つの反射面２２ａ，２２ｂ，２２ｃに照射されるように、凹部２１の高さや開口形状が設定されている。
【００２０】
三つの反射面２２ａ，２２ｂ，２２ｃは、図２（ａ）に示すように、反射部２０の底部２１ｃの上面に形成された平坦な面であり、第一の反射面２２ａと、第一の反射面２２ａの左右両側に配置された第二の反射面２２ｂおよび第三の反射面２２ｃとが形成されている。また、各反射面２２ａ，２２ｂ，２２ｃには、太陽光の反射率を高めるために、反射塗料や白い塗料が塗布されている。
【００２１】
図３（ａ）に示す第一の反射面２２ａの法線Ｈ１は、南に配置された太陽を含む鉛直面Ｓ１（図３（ｂ）参照）内において水平面に対して傾斜しており、その傾斜角度は、反射壁１の構築場所における夏至の南中高度Ａに一致している。具体的には、第一の反射面２２ａは、夏至の南中高度に位置した太陽に正対するように、外壁面１０ａ側よりも背面２１ａ側が高い傾斜面となっている。
ここで、本実施形態では、外壁面１０ａが南向きに配置されており、夏至の南中時刻には、南中高度が約７０度（東京地方における角度）となる。第一の反射面２２ａは、その法線Ｈ１が夏至の南中高度Ａに一致するように、水平面に対して約２０度の角度で傾斜している。
このような第一の反射面２２ａでは、夏至の南中高度に位置した太陽から入射された太陽光の多くの成分を天空方向に反射させることができる（図２（ｂ）参照）。
【００２２】
なお、本実施形態では、第一の反射面２２ａの法線Ｈ１の水平面に対する傾斜角度を、夏至の南中高度Ａに一致させているが、第一の反射面２２ａの法線Ｈ１の傾斜角度を、夏至の南中高度Ａに対してプラスマイナス１０度の範囲内に設定することで、第一の反射面２２ａを夏至の南中高度Ａに位置した太陽に正対させることができる。
【００２３】
第二の反射面２２ｂは、図２（ａ）において第一の反射面２２ａの左側に配置されている。図３（ａ）に示す第二の反射面２２ｂの法線Ｈ２は、前記した第一の反射面２２ｂの法線Ｈ１が配置される鉛直面Ｓ１（図３（ｂ）参照）よりも、南東の方角に回転した鉛直面Ｓ２（図３（ｂ）参照）内で傾斜している。水平面に対する法線Ｈ２の傾斜角度は、第一の反射面２２ａの法線Ｈ１の傾斜角度よりも小さくなっている。すなわち、第二の反射面２２ｂは、夏至の南中時刻よりも前の時刻（例えば一時間前）において太陽に正対するように、水平面に対して傾斜している。
このような第二の反射面２２ｂでは、夏至の南中時刻よりも前の時刻における太陽から入射された太陽光の多くの成分を天空方向に反射させることができる。
【００２４】
第三の反射面２２ｃは、図２（ａ）において第一の反射面２２ａの右側に配置されている。図３（ａ）に示す第三の反射面２２ｃの法線Ｈ３は、前記した第一の反射面２２ｂの法線Ｈ１が配置される鉛直面Ｓ１（図３（ｂ）参照）よりも、南西の方角に回転した鉛直面Ｓ３（図３（ｂ）参照）内で傾斜している。水平面に対する法線Ｈ３の傾斜角度は、第一の反射面２２ａの法線Ｈ１の傾斜角度よりも小さくなっている。すなわち、第三の反射面２２ｃは、夏至の南中時刻よりも後の時刻（例えば一時間後）において太陽に正対するように、水平面に対して傾斜している。
このような第三の反射面２２ｃでは、夏至の南中時刻よりも後の時刻における太陽から入射された太陽光の多くの成分を天空方向に反射させることができる。
【００２５】
以上のような反射壁１では、図２（ａ）に示すように、太陽が夏至の南中高度に位置しているときに、第一の反射面２２ａを太陽に正対させることができる。したがって、太陽光のエネルギーが一年中で最も大きくなり、太陽光を天空方向に反射させることができ、意図しない方向への強い反射を防ぐことができるため、反射光による周辺環境への影響を効果的に低減することができる。
【００２６】
また、夏至の南中時刻の前後で太陽に正対する第二の反射面２２ｂおよび第三の反射面２２ｃを形成することで、反射効果を最も必要とする時刻の前後に亘って、太陽光を天空方向に反射させることができる。
【００２７】
また、図１に示すように、外壁面１０ａに複数の反射部２０が形成されているため、外壁面１０ａの広範囲で太陽光を天空方向に反射させることができ、壁体１０の温度上昇を効果的に抑制することができる。
【００２８】
また、複数の反射面を介して太陽光を反射させる構成と比べて構造が簡単であるため、製造コストを安くすることができる。さらに、反射部２０は壁体１０の外壁面１０ａに形成された凹部２１によって形成されているため、壁体１０に対して各反射面２２ａ，２２ｂ，２２ｃを簡単に形成することができるとともに、壁体１０の厚みを小さくすることができる。
【００２９】
以上、本発明の実施形態について説明したが、本発明は前記実施形態に限定されることなく、その趣旨を逸脱しない範囲で適宜に変更が可能である。
例えば、本実施形態では、図３（ｂ）に示すように、外壁面１０ａが南向きに配置されているが、外壁面１０ａの向きは限定されるものではない。
また、本実施形態では、図３（ａ）に示すように、第一の反射面２２ａの法線Ｈ１の水平面に対する傾斜角度を、夏至の南中高度Ａに合わせているが、夏至の南中高度Ａに限定されるものではなく、反射壁１の構築場所における周辺環境を考慮し、反射面２２ａで反射される光量を低減することが有効な時期の南中高度に合わせてもよい。
【００３０】
また、図２（ａ）に示すように、反射部２０を凹部によって形成しているが、図４に示すように、壁体１０の外壁面１０ａに形成された突出部３１によって反射部３０を形成することもできる。この構成では、突出部３１の上面に各反射面３２ａ，３２ｂ，３２ｃを形成することで、壁体１０に対して反射面３２ａ，３２ｂ，３２ｃを簡単に形成することができる。
【００３１】
また、本実施形態では、反射部２０に三つの反射面２２ａ，２２ｂ，２２ｃが形成されているが、第一の反射面２２ａのみが形成されていてもよい。また、二つの反射面が形成されていてもよく、さらには、三つ以上の多数の反射面が形成されていてもよい。
【００３２】
また、図５に示す反射部２０Ａのように、夏至の南中高度Ａに位置している太陽に正対させた第一の反射面２２ａに連続させて、冬至の南中高度Ｂに位置している太陽に正対させた第四の反射面２２ｄを形成することもできる。
第四の反射面２２ｄは、法線Ｈ４の水平面に対する傾斜角度が、冬至の南中高度Ｂに合わせて設定されている。冬至の南中時刻には、南中高度Ｂが約３０度（東京地方における角度）となるため、第四の反射面２２ａの法線Ｈ４は、水平面に対して約６０度の角度で傾斜している。
なお、第四の反射面２２ｄの法線Ｈ４の傾斜角度を、冬至の南中高度Ｂに対してプラスマイナス１０度の範囲内に設定することで、第四の反射面２２ｄを冬至の南中高度Ｂに位置した太陽に正対させることができる。
また、第四の反射面２２ｄは、第一の反射面２２ａよりも低い反射率に仕上げられている。
【００３３】
図５に示す反射部２０Ａでは、冬季に第四の反射面２２ｄに太陽光が照射され易くなっている。さらに、第四の反射面２２ｄでは、太陽光の反射率が低いため、冬季に太陽光による熱の吸収率を高めることができる。したがって、反射部２０Ａでは、夏季には第一の反射面２２ａで太陽光を効果的に反射することで、建物内の冷房効率を高めることができ、冬季には第四の反射面２２ｄが太陽光の熱を効果的に吸収することで、建物内の暖房効率を高めることができる。
なお、図５の構成では、反射部２０Ａが建物の屋根など上向きの外壁面１０ｂに形成されているが、鉛直面など横向きの外壁面に反射部２０Ａを形成してもよい。
【符号の説明】
【００３４】
１      反射壁
１０    壁体
１０ａ  外壁面
２０    反射部
２０Ａ  反射部（他の実施形態）
２１    凹部
２１ａ  背面
２１ｂ  曲面
２１ｃ  底部
２２ａ  第一の反射面
２２ｂ  第二の反射面
２２ｃ  第三の反射面
２２ｄ  第四の反射面
Ａ      夏至の南中高度
Ｂ      冬至の南中高度
Ｈ１    第一の反射面の法線
Ｈ２    第二の反射面の法線
Ｈ３    第三の反射面の法線
Ｈ４    第四の反射面の法線
【図１】
2011246878.tif 000003
【図２】
2011246878.tif 000004
【図３】
2011246878.tif 000005
【図４】
2011246878.tif 000006
【図５】
2011246878.tif 000007